(57)【要約】【課題】杖を操作する過程で、グリップ１０を握る掌がじゃん拳の「グー」及び「パー」態様の握り状態を繰り返すことが許容されながら、掌からグリップが脱落する恐れがなく、常に手指の当接部から杖突き力を働かせることができる。【解決手段】じゃん拳の「グー」態様の握り状態での特に親指と人差し指によって握られる位置に前記２指が嵌まり込むべき左側指溝１５、右側指溝１６が形成されているので、握りを緩めたじゃん拳の「パー」態様の握り状態においても、前記溝１５，１６内に収まっている前記２指のみでグリップを把持して、杖を突く方向へ力を働かせることができること。またこの握り状態で、親指の第一関節２１の腹部に当接する位置、および人差し指の基節２２（第二関節と指の付け根の間）の中指と対向する側部に当接する位置に限定されていること【選択図】図５
2011056119.tif 000002
【特許請求の範囲】
【請求項１】
棒状に形成された杖の上部に、該杖と同軸方向へ伸延して設けられたグリップの構造について、じゃん拳の「グー」態様の握り状態での特に親指及び人差し指によって握られる位置において、前記２指が嵌まり込む溝形状たるべく表面から突出する波状隆起が設けられており、握りを緩めた（親指以外の４指が）じゃん拳の「パー」態様の握り状態においては、前記波状隆起によって形成された溝内に収まっている前記２指のみでグリップを把持して、杖を突く方向へ力を働かせることができることを特徴とする杖のグリップ構造。
【請求項２】
親指及び人差し指によって握られる位置に設けられた前記波状隆起が、じゃん拳の「パー」態様の握り状態で、親指の第一関節近傍の腹部に当接する位置、および人差し指の基節（第二関節と指の付け根の間）の中指と対向する側部に当接する位置に限定されていることを特徴とする請求項１記載の杖のグリップ構造。
【発明の詳細な説明】
【技術分野】
【０００１】
本発明は、スキーストック、ことにノルディックスキー用のストック及びノルディックウォーキング用の杖のグリップ構造に関するものである。
【背景技術】
【０００２】
スキー杖のグリップを握って滑走中のスキーヤーが、例えば雪面を突いて強い衝撃を受けた際や雪面を突き損なった際など、滑走中にグリップを握持する手が不意に開いてしまうことに備えて、スキー杖のグリップには、手とグリップとの分離を防ぐ紐輪（通称：ストラップ）が設けられている。このため、手からグリップが脱落してしまう（ストラップの存在によりスキー杖を雪面に落として置き去りにしてしまう）ことはない。
【０００３】
スキー杖におけるストラップは、スキーストックを雪面に落として置き去りにしてしまうのを防止することを目的とするものであって、この脱落させたグリップを握り直す行為は、滑走バランスを崩し易く、よって、転倒の原因となり危険であるのは勿論、競技中であれば大きなタイムロスを余儀なくされるものであった。また、このストラップを実際に握る場合には、ストラップの下方から手の甲を通し、グリップと手のひらとの間にストラップを位置せしめたまま握ることになるが、握るのが煩わしいのは勿論、手とグリップとの一体感が少ないとされていた。
【０００４】
このような状況の中から、手からグリップが脱落するのを防止し得る構造（以下、改良例という）が提案されている。図１に図示したようにグリップ３２を握持する手の手首部分をホールドするホールド体３３を設けた構造であり、このホールド体３３は、樹脂製のグリップ３２の上部に突出状態に設けられる。このような改良例であれば、仮にグリップ３２を握持する手を開いても、常にグリップ３２を手の内側所定位置に保持しておくことができ、よって、手からグリップ３２が脱落することが可及的に防止され、滑走中に手が不意に開いても、すぐにグリップ３２の握り直しが可能である。
【０００５】
しかしながらこの改良例においても、ホールド体３３の存在によって常に手首に拘束感（違和感）がある為、雪面にスキーストック３１を突こうとして手首を曲げる際などに、この拘束感が原因でストックワークに支障を来たしてしまい、しかも、リフトに乗る際や持ち運びの際など邪魔となる場合がある為、一般のスキーヤーにとっては不適であり、更に、この従来例もやはり手とグリップ３２との十分な一体感が得られるものではなかった。
こうした背景において、次のようなグリップ構造が特許文献１に示されている。
【先行技術文献】
【特許文献】
【０００６】
【特許文献１】特願2004-229904「スキーストックのグリップ構造」の実施例の平面図を図２に、使用状態の側面図を図３、図４に示した。本文献によれば、（１）スキーストックを構成する棒状部材１の上部に設けられるグリップ構造であって、グリップ本体２の上部には覆い体６が連設され、この覆い体６はグリップ本体２を握持する手の親指３ａと人差し指３ｂとの間の指間部分５に位置する係止部６Ａと、この係止部６Ａに連設され、手のこう部分４を覆う覆い部６Ｂとから成り、前記覆い部６Ｂの下端とグリップ本体２との間には手のこう部分４が位置する空間Ｓが形成され、更に、該覆い部６Ｂは手のこう部分４に沿うように湾曲形状に構成されたものであることを特徴とするスキーストックのグリップ構造に係るものである。
【０００７】
（２）前記係止部６Ａが、グリップ本体２の後方向へ直線状に突設されていること、グリップ本体２を握持する手の手首に達しない長さに設定されていること、適度な撓み弾性を具備する板状体であり、グリップ本体２を握持する手のこう部分４を押圧し得るように構成されていること、及び合成樹脂製であること等を特徴とするものとしている。
また、前記グリップ本体２には該グリップ本体２の表面から突出し、グリップ本体２を握持する２本の指同士で挟み込む挟み込み体７が設けられ、この挟み込み体７には、該挟み込み体７を２本の指同士で挟み込んだ際に該２本の指の外側に係止される係止体８が設けられ、該係止体８と前記グリップ本体２とで前記挟み込み体７を挟み込んだ２本の指を保持し得るように構成されていることを特徴とする
【０００８】
本文献では、グリップ本体２の上部には覆い体６が連設され、この覆い体６はグリップ本体２を握持する手の親指３ａと人差し指３ｂとの間の指間部分５に位置する係止部６Ａと、この係止部６Ａに連設され、手のこう部分４を覆う覆い部６Ｂとから成る構成であり、よって、手が不意に開いても手からグリップ本体２が不意に脱落してしまうことは可及的に防止される。
即ち、例えば滑走中にスキーヤーがバランスを崩すなどして不意に手を開いてしまった場合、或いは、グリップ本体２を握持する手を緩めた場合でも、覆い体６に係る係止部６Ａが親指３ａと人差し指３ｂとの間の指間部分５に係止した状態であるから、手からグリップ本体２が脱落してしまうのは可及的に防止されることになり、そして、覆い部６Ｂの下端とグリップ本体２との間には手のこう部分４が位置する空間Ｓが形成され、更に、該覆い部６Ｂは手のこう部分４に沿うように湾曲形状に構成されたものであるから、グリップ本体２が握り易く、しかも、グリップ本体２を握持した際には確実に覆い部６Ｂが手のこう部分４を覆う状態（ホールドする状態）となって良好な一体感が得られることになる。
【発明の概要】
【発明が解決しようとする課題】
【０００９】
元来、このようにスキーストックを握る手を緩めてもグリップが手のひらから脱落しないグリップ構造は、ことにノルディック・クロスカントリースキーにおいて求められてききたものであった。スキーを加速するために、「より強く突き易い、抜重への切替えしが自然にでき、素早く振り出せる」グリップ構造が競技者たちから求められる一方で、グリップを強く握り締め続けることによって手の血流を阻害すると言う問題にも対処する必要があったのである。
ストックを「突く、引き抜く、振り出す」動作を繰り返す過程で、グリップの握りを強めたり緩めたり、場合によっては握りを広げたりすることによって良好な血流を促しながら、なお且つグリップが手のひらから脱落しないグリップ構造が求められる。
【００１０】
近年、杖を使って雪のない地上を走歩するノルディックウォーキングが行われるようになり、ここで使用されるウォーキング杖は、従来のノルディックスキーにおけるストックワークに近似した使われ方であって、「杖を突いて体を前へ押出す⇒杖を後ろから引き抜いて前方へ振り出す⇒また前方へ突く」と言う操作を繰り返すものである。
近頃、競技志向から体力維持志向へと需要人口が増加するのに伴って、杖を「突く、引き抜く、振り出す」動作を繰り返すなかで、グリップの握りを強めたり緩めたり、場合によっては握りを広げたりすることによって良好な血流を促し、且つグリップが手のひらから脱落しないグリップ構造の更なる改善が求められている。
本発明は、杖を操作する過程で、グリップを握る掌がじゃん拳の「グー」及び「パー」の握り状態を繰り返すことが許容されながら掌からグリップが脱落する恐れがないばかりでなく、上記両過程において掌あるいは指のいずれかの部位によって杖を突く方向へ力を働かせることができるようなグリップ構造にすることによって上記課題を解決しようとするものである。
【課題を解決するための手段】
【００１１】
棒状に形成された杖の上部に、該杖と同軸方向へ伸延して設けられたグリップの構造について、じゃん拳の「グー」態様の握り状態での特に親指及び人差し指によって握られる位置において、前記２指が嵌まり込む溝形状たるべく表面から突出する波状隆起が設けられており、握りを緩めた（親指以外の４指が）じゃん拳の「パー」態様の握り状態においては、前記波状隆起によって形成された溝内に収まっている前記２指のみでグリップを把持して、杖を突く方向へ力を働かせることができることを特徴とする杖のグリップ構造により課題を解決する。また、
【００１２】
親指及び人差し指によって握られる位置に設けられた前記波状隆起が、じゃん拳の「パー」態様の握り状態で、親指の第一関節近傍の腹部に当接する位置、および人差し指の基節（第二関節と指の付け根の間）の中指と対向する側部に当接する位置に限定されていることを特徴とする請求項１記載の杖のグリップ構造
【発明の効果】
【００１３】
クロスカントリースキー杖ならびにノルディックウォーキング杖において、親指及び人差し指によって握られるべき位置に設けられた前記波状隆起によって形成された溝を有するグリップ構造においては、前記２指とグリップの相対位置がずれることがないので、「突く、引き抜く、振り出す」操作を繰り返す過程で、グリップを握る掌がじゃん拳の「グー」及び「パー」態様の握り状態を繰り返すことがあっても掌からグリップが脱落する恐れがないばかりでなく、前記２指のみでグリップを把持することによって、杖を突く方向へ力を働かせることもできる。
また、前記２指とグリップの相対位置がずれることがないので、握る手の甲の外側を覆うストラップ（文献１における覆い体６、６A、６Bに相当する）には、文献１のように「グリップを握る手の甲部分を押圧し得るように適度な撓み弾性を具備する板状体」でなく、握り状態の変化に伴う手・指の動きを拘束することのない編み紐のような柔軟体を使用することができる。このため、拘束の少ない自由な握り操作ができるので、グリップを握る手の血流を阻害することなく、またストラップを介して杖を突く方向へ力を働かせることもなく前記波状隆起を介して効率的に杖突き力を働かせることができる。
【発明を実施するための形態】
【００１４】
以下、本発明の実施例について図面を参照しながら説明する。
【実施例１】
【００１５】
図５は、本実施例の杖グリップの三面図である。
図２は、じゃん拳の「グー」拳で握った状態におけるグリップの使用下での左右側面図、図３は、握りを緩めて親指以外の４指がじゃん拳の「パー」に開いた状態における使用下での左右側面図である。
【００１６】
杖柱の上端部に、同芯に伸延されて上、下端にそれぞれ上フランジ部１１、下フランジ部１２を有して形成されたグリップ１０が取り付け固定される。図示のグリップ１０はいずれも右手用であって、図５（Ｂ）は右手で握った時に手首側になる方向から見て（使用される杖から見れば背面と称するべきであるが、本記述では）正面とし、これの左側面図が（Ｌ）、右側面図が（Ｒ）である。
前記上フランジ部１１の下方には、左右両側面上に水平よりもやや傾斜して伸びる左側波状隆起１３及び右側波状隆起１４が曲面的滑らかに突き出ており、上フランジ部１１との間にそれぞれ、右手親指が嵌るべき左側指溝１５、ならびに人差し指が嵌るべき右側指溝１６を形成している。グリップ全体は、柔軟性のある合成樹脂あるいは合成ゴムにより滑らかな曲面で成型されている。
【００１７】
ストラップ１７は、その両端を上フランジ部１１および下フランジ部１２の下方に取り付け固定され、正面から見てグリップの右側へアーチ状に張られており、グリップを握った右手の甲を所定の張力で覆うべく長さ調節が可能に構成されている。編み紐のような弾力性および柔軟性をもつ材質から成型されたものである。
以上実施例の説明と図面は、右手用として記載し図示したものであって、左手用の場合は図を左右反転し、文中の左と右を入れ替えたものである。
【図面の簡単な説明】
【００１８】
【図１】従来品の改良例を示す杖グリップの斜視図
【図２】文献１のグリップの使用状態での平面図
【図３】文献１のグリップの握り使用状態での側面図
【図４】文献１のグリップの開き使用状態での側面図
【図５】実施例１の杖グリップの三面図（ストラップ図示略）
【図６】実施例１の杖グリップの拳を握った使用状態での側面図（  〃  ）
【図７】実施例１の杖グリップの拳を開いた使用状態での側面図（  〃  ）
【図８】ストラップを図示した実施例１の杖グリップの正面図
【符号の説明】
【００１９】
１０      グリップ
１１      上フランジ部
１２      下フランジ部
１３      左側波状隆起
１４      右側波状隆起
１５      左側指溝
１６      右側指溝
１７      ストラップ
２１      右手親指の第一関節
２２      右手人差し指の基節
【図１】
2011056119.tif 000003
【図２】
2011056119.tif 000004
【図３】
2011056119.tif 000005
【図４】
2011056119.tif 000006
【図５】
2011056119.tif 000007
【図６】
2011056119.tif 000008
【図７】
2011056119.tif 000009
【図８】
2011056119.tif 000010